(57)【要約】本発明は、エレベータ１４ａ〜１４ｃによる建物１２内の階床へのアクセスを制御する方法に関する。この方法は、乗客がエレベータ１４ａ〜１４ｃで移動しようと努める望ましい目的階を指示する乗客からの入力を受けるステップと、乗客の入力の階床から来るときに乗客に対しエレベータによるアクセスが許容される階床についてのデータを含む蓄積されたデータベースにアクセスするステップと、アクセスが望ましい目的階およびデータに基づいて許容されるかを決定するステップと、アクセスが許容されたときに望ましい目的階へ乗客を輸送するようにエレベータ１４ａ〜１４ｃの運転を制御するステップとを含む。
2013513536.tif 000002
【特許請求の範囲】
【請求項１】
エレベータによる建物内の階床へのアクセスを制御する方法であって、
乗客がエレベータで移動しようと努める望ましい目的階を指示する乗客からの入力を受けるステップと、
前記乗客からの入力の階床から来るときに前記乗客に対し前記エレベータによるアクセスが許容される階床に関するデータを含む蓄積されたデータベースにアクセスするステップと、
アクセスが前記望ましい目的階および前記データに基づいて許容されるかを決定するステップと、
前記アクセスが許容される場合に、前記望ましい目的階へ乗客を輸送するように前記エレベータの運転を制御するステップと、
を含む方法。
【請求項２】
前記アクセスが許容されていない場合に、前記望ましい目的階へ乗客を輸送しないように前記エレベータの運転を制御するステップをさらに含むことを特徴とする請求項１に記載の方法。
【請求項３】
前記決定するステップは、
前記乗客からの入力の階床を登録し、
前記乗客の前記望ましい目的階を登録し、
前記乗客からの入力の階床に基づいて前記乗客に対しアクセスが許容される階床に関する情報を含むデータベース内に蓄積されたデータと、前記望ましい目的階とを比較し、
前記望ましい目的階が、前記乗客が前記乗客からの入力の階床からアクセスすることを許容される階床の１つである場合に、アクセスを許容することを含むことを特徴とする請求項１に記載の方法。
【請求項４】
前記データを含む前記データベースを修正することができることを特徴とする請求項３に記載の方法。
【請求項５】
前記乗客に関する乗客情報を提供する入力を受けるステップをさらに含むことを特徴とする請求項１に記載の方法。
【請求項６】
前記入力を通して受けられた前記乗客情報により、前記乗客は、ある階床へアクセスすることが許容されることを特徴とする請求項５に記載の方法。
【請求項７】
前記決定するステップは、エレベータコントローラによってなされることを特徴とする請求項１に記載の方法。
【請求項８】
前記決定するステップは、エレベータコントローラと相互作用するセキュリティシステムによってなされることを特徴とする請求項１に記載の方法。
【請求項９】
前記乗客は、前記エレベータを呼ぶときに、望ましい目的階を入力することを特徴とする請求項１に記載の方法。
【請求項１０】
前記乗客は、前記エレベータに入った後に望ましい目的階を入力することを特徴とする請求項１に記載の方法。
【請求項１１】
前記望ましい目的階へのアクセスが許容されていない場合に、前記エレベータは、移動せず、前記エレベータのドアが、呼びの階床において開いたままであることを特徴とする請求項１０に記載の方法。
【請求項１２】
建物内の１つの階床から他の階床へと乗客を輸送するエレベータと、
前記乗客が望ましい目的階を入力することができる入力装置と、
前記エレベータ内の前記乗客によって階床へのアクセスを制御するシステムと、
を備え、
前記望ましい目的階へのアクセスが、前記乗客からの入力の階床から来るときにエレベータによるアクセスが許容される階床に関するデータを含む蓄積されたデータベースにアクセスすることにより、許容されるか、または許容されないことを特徴とするエレベータセキュリティシステム。
【請求項１３】
前記エレベータによる階床へのアクセスを制御する前記システムは、エレベータコントローラと相互作用するセキュリティシステムであることを特徴とする請求項１２に記載のエレベータセキュリティシステム。
【請求項１４】
前記エレベータによる階床へのアクセスを制御する前記システムは、エレベータコントローラであることを特徴とする請求項１２に記載のエレベータセキュリティシステム。
【請求項１５】
階床へのアクセスが許容される場合に、前記エレベータは、望ましい目的階へ前記乗客を輸送することを特徴とする請求項１２に記載のエレベータセキュリティシステム。
【請求項１６】
階床へのアクセスが許容されていない場合に、前記エレベータは、望ましい目的階へ前記乗客を輸送しないことを特徴とする請求項１２に記載のエレベータセキュリティシステム。
【請求項１７】
エレベータサービスを要求する乗客に関する乗客情報を入力する入力装置をさらに備えることを特徴とする請求項１２に記載のエレベータセキュリティシステム。
【請求項１８】
前記入力装置を通して受けられた情報により、前記乗客は、ある階床へアクセスすることを許容されることを特徴とする請求項１７に記載のエレベータセキュリティシステム。
【請求項１９】
エレベータによる建物内の階床へのアクセスを制御する方法であって、
出発階から望ましい目的階へのサービスを要求する乗客からの入力を受けるステップと、
蓄積されたデータに基づいて前記出発階からエレベータにより移動するときに、前記望ましい目的階へのアクセスが許容されるかを決定するステップと、
前記アクセスが許容される場合に、前記望ましい目的階へ前記乗客を輸送するように前記エレベータの運転を制御するステップと、
を含む方法。
【発明の詳細な説明】
【技術分野】
【０００１】
本発明は、一般に、エレベータシステムに関し、特に、エレベータシステム内のエレベータセキュリティシステムに関する。
【背景技術】
【０００２】
一般のエレベータシステムは、建物内において１つの階床から他の階床へと乗客を輸送するように作用する。乗客がエレベータにより拾い上げてほしい階床を示す乗客の呼びが生成され、そして、エレベータは応答する。乗客は、呼びが生成されたとき、または応答するエレベータに入るときに望ましい目的階を指示することが多い。そして、エレベータは、望ましい目的階へと乗客を輸送する。
【０００３】
あるエレベータシステムは、建物の階床のいくつかまたは全てへのアクセスが制限され、エレベータによりこれらの階床へアクセスしたいと願う人には許可が必要とされる建物の要求を満たす。ある人のみがこれらの階床へアクセスすることを許容されているときには、ある目的階へのアクセスを許可または否定するように用いられる種々の方法が存在する。上記方法のいくつかは、乗客がエレベータによりその特定の階床にアクセスすることを許可された人であるかをエレベータが認識する識別システムを用いることを含む。あるシステムにおいては、身分証明書が用いられるか、または乗客を制限された階床へとアクセスさせるセキュリティコードが入力され得る。他のシステムにおいては、エレベータは、全ての階床へ乗客を輸送することができ、制限された階床に到着したときに、乗客は、乗客のアクセスを許可または否定する他の形式のセキュリティシステムに遭遇することになる。あるシステムは、制限されていない階床へアクセスするためだけに、あるエレベータを指定することさえでき、許可された乗客が制限された階床へアクセスすることができる他のエレベータセットを備えることができる。
【発明の概要】
【課題を解決するための手段】
【０００４】
エレベータによる建物内の階床へのアクセスを制御する方法が、乗客がエレベータで移動しようと努める望ましい目的階を指示する乗客からの入力を受けるステップと、乗客からの入力の階床から来るときに乗客に対しエレベータによるアクセスが許容される階床に関するデータを含む蓄積されたデータベースにアクセスするステップと、アクセスが望ましい目的階およびデータに基づいて許容されているかを決定するステップと、アクセスが許容されている場合に、望ましい目的階へ乗客を輸送するようにエレベータの運転を制御するステップとを含む。
【０００５】
本発明の実施例は、エレベータセキュリティシステムに関する。このシステムは、建物内の１つの階床から他の階床へと乗客を輸送するエレベータと、乗客が望ましい目的階を入力することができる入力装置と、エレベータ内の乗客によって階床へのアクセスを制御するシステムとを備えている。望ましい目的階へのアクセスが、乗客からの入力の階床から来るときにエレベータによるアクセスが許容される階床に関するデータを含む蓄積されたデータベースにアクセスすることにより、許容されるか、または許容されない。
【図面の簡単な説明】
【０００６】
【図１】本発明のエレベータセキュリティシステムを有した高層建物の図である。
【図２】本発明の銀行建物用のエレベータセキュリティシステムで用いられるデータマトリックスである。
【図３】本発明の病院用のエレベータセキュリティシステムで用いられるデータマトリックスである。
【図４】本発明のオフィス建物用のエレベータセキュリティシステムで用いられるデータマトリックスである。
【図５】本発明の多機能建物用のエレベータセキュリティシステムで用いられるデータマトリックスである。
【図６】本発明の大学建物用のエレベータセキュリティシステムで用いられるデータマトリックスである。
【発明を実施するための形態】
【０００７】
本発明は、エレベータによる建物内の階床へのアクセスを制御する方法を提供する。一般に、エレベータシステムのある階床へのアクセスが制限されている場合には、セキュリティは、目的階に基づいている。乗客の望ましい目的階へのエレベータによるアクセスは、乗客の認識、身分証明書および／または望ましい目的階の入力を許可するセキュリティコードを入力することを含む、１つまたは複数の許可方法に基づいて許容または否定される。本発明の方法は、乗客がどの階床から来るのかに基づいて、乗客がアクセスすることをどの階床に許可するのかを示す蓄積されたデータに応じて、エレベータによる建物内望ましい目的階へのアクセスを許容または否定する。
【０００８】
図１は、建物１２のエレベータシステム１０の斜視図である。建物１２は、全部で２０個の階床（Ｆ１〜Ｆ２０）を備えており、紙面に図を適合させるために階床Ｆ３と階床Ｆ１９との間は、破断線で示されている。群エレベータシステム１０は、３個のエレベータ１４ａ，１４ｂ，１４ｃを備えており、これらのエレベータの各々は、建物１２の階床に乗客を輸送するように作動可能である。３個のエレベータ１４ａ〜１４ｃおよび２０個の階床が示されているが、任意の数の階床にサービスを提供する任意の数のエレベータを有してなる目的階入力式群エレベータシステムに本発明を適用することができることを理解されたい。群エレベータシステム１０は、かごコントローラ１６ａ〜１６ｃ、群コントローラ２０、通信ループ１８、通信線路２２および望ましい目的階入力装置３０をさらに備えている。
【０００９】
望ましい目的階入力装置３０は、通信線路２２を介して群コントローラ２０に接続される。入力装置３０をワイヤレスとすることもできる（そして、通信線路２２を必要としない）。群コントローラ２０は、通信ループ１８を介してかごコントローラ１６ａ〜１６ｃに接続される。かごコントローラ１６ａはかご１４ａに接続されており、かごコントローラ１６ｂはかご１４ｂに接続されており、かごコントローラ１６ｃはかご１４ｃに接続されている。
【００１０】
望ましい目的階入力装置３０は、各階床のエレベータの隣に配置されており、乗客が移動しようと努める望ましい目的階を指示するために乗客によって使用される。群コントローラ２０は、通信線路２２によって供給されるこの情報を受けて処理する。そして、群コントローラ２０は、受けた目的階の入力情報と、望ましい目的階入力が開始された階床から来るときに乗客に対しエレベータによるアクセスが許容される階床に関する情報を含む蓄積されたデータベース（図示せず）からのデータとに基づいて、かごコントローラ１６ａ〜１６ｃにエレベータ制御情報を供給する。かごコントローラ１６ａ〜１６ｃは、群コントローラ２０から受けるエレベータ制御情報に基づいて、エレベータ１４ａ〜１４ｃをそれぞれ制御する。（蓄積されたデータに基づいて）望ましい目的階入力が開始された階床から来るときに望ましい目的階へのアクセスが許容されたことをコントローラ２０が決定する場合に、コントローラ２０は、かごコントローラ１６ａ〜１６ｃの１つに望ましい目的階へ乗客を輸送する制御情報を送信し、エレベータの運転を制御することになる。アクセスが許容されていない場合には、コントローラ２０は、望ましい目的階へ乗客を輸送しない（これは、呼びに応答しないようにエレベータを制御することや、階床の間でエレベータを移動させないようにし、乗客がエレベータに入った階床でエレベータかごのドアを開けたままにするようにエレベータを制御することを含む）ように、かごコントローラ１６ａ〜１６ｃの１つに情報を送信してエレベータの運転を制御する。本実施例においては、蓄積されたデータベースにアクセスし、望ましい目的階へのアクセスが許容されるかを決定することが群コントローラ２０によってなされるが、これは、群コントローラ２０と相互作用する他のシステム、例えば、セキュリティシステムによってもなされ得る。
【００１１】
望ましい目的階入力装置３０は、乗客が望ましい目的階を入力する装置とすることができ、または単に、乗客が望ましい目的階の方向を示すように用いる一般的な上下のホール呼び釦とすることができる。望ましい目的階入力装置３０が一般的な上下のホール呼び釦である場合には、望ましい目的階へのアクセスが許容されるかの決定は、乗客がエレベータに入り、望ましい目的階を指示する釦を押したときになされることになる。
【００１２】
本発明の第２の実施例においては、望ましい目的階を指示する乗客からの入力を受けた後に、乗客がエレベータにより望ましい目的階へアクセスすることを許容されるかどうかを決定するために、蓄積されたデータベースがアクセスされる。この蓄積されたデータベースは、２つの情報に関するデータを含んでおり、これらの２つの情報とは、すなわち、エレベータが望ましい目的階への入力が開始された階床から乗客を輸送することができるかと、特定の乗客が望ましい目的階へアクセスすることを許可されているかどうかである。また、個別のデータベース内に情報を蓄積することもできる。この情報は、符号「Ｎ」、「Ｏ」または「ＡＡ」を有した可能なエレベータ輸送を示すマトリックスを用いて図２〜図６に示されている。符号「Ｎ」は、かごが入力開始階から望ましい目的階へ乗客を輸送することができないことを示している。符号「Ｏ」は、かごが、追加の許可を必要とせずに、入力開始階から望ましい目的階へ乗客を輸送することができることを示している。また、符号「ＡＡ」は、乗客が望ましい目的階へのアクセスを許可されるときにのみ、かごが入力開始階から望ましい目的階へ乗客を輸送することができることを示している。
【００１３】
この蓄積されたデータベースにアクセスすることによって、エレベータシステムは、呼びが開始される階床（および許可）に基づいて望ましい目的階へのアクセスを制御する。これは、セキュリティと、銀行、病院、オフィス建物、多機能建物および大学建物を有する異なるアクセスレベルとに関するいくつかの用途において有用なものとなり得る。
【００１４】
図２には、特定の望ましい目的階へのアクセスが、入力が開始される階に基づいて許可されることを決定するための、データベース内に蓄積された（本明細書ではマトリックスの形態で示される）データの一実施例が示されている。このデータマトリックスは、乗客Ｐつまり銀行の従業員からの階床Ｆ１〜Ｆ２０を有した銀行建物へのアクセスレベルを示している。階床Ｆ１は銀行の金庫室であり、階床Ｆ２はロビーであり、そして、階床Ｆ８は、乗客「Ｐ」が働いている階床である。垂直方向の「から」側が、入力が開始される階床（乗客はこの階床から移動したい）を示している。水平方向の「へ」側が、乗客の望ましい目的階入力で示されているように、乗客の望ましい目的階（乗客はこの階へと移動したい）を示している。マトリックスの符号「ＡＡ」は、許可と、許容されていることとを示しており、つまり、乗客Ｐがその階床に入るための許可を有していることと、乗客Ｐがその階床へと移動することが許容されることとを意味している。符号「Ｎ」は、許容されていないことを示しており、つまり、エレベータ内に乗客が入っている階床から特定の階床への移動が許容されていないことを意味している。符号「Ｏ」は、開状態を示しており、つまり入る階床から望ましい目的階への移動が許容されていることを意味している。許可は、ある人のみが階床へアクセスすることが許容されるときに用いられ、また、望ましい目的階入力が開始された階床から来るときに乗客に対しエレベータによるアクセスが許容される階床についての蓄積されたデータに基づいてアクセスを許可するシステムに加えて使用され得る。ある階床へアクセスするのに必要な許可は、身分証明バッジをスキャンすることや、セキュリティコードを入力することを含むがこれらに限定されない多くの形態によって提供され得る。乗客が適切な許可を有する場合には、その階床へのアクセスが許容されている。乗客が適切な許可を有しない場合には、望ましい目的階へのアクセスが許容されていない。
【００１５】
乗客がエレベータにより移動しようと努める望ましい目的階を指示する乗客からの入力を受けたときに、（データベース内に蓄積された）上記データマトリックスはアクセスされる。このマトリックスは、望ましい目的階へのアクセスが許容されるかを決定するために使用される。乗客からの入力が開始される階床は、マトリックスの垂直方向の「から」側に位置している。望ましい目的階は、マトリックスの水平方向の「へ」側に位置している。マトリックスにおいて「から」階床が「へ」階床と交差してなる四角形によって、エレベータによる入力開始階から望ましい目的階へのアクセスが許可されるかが決定される。四角形が「Ｏ」を含む場合には、アクセスが許容され、エレベータは、入力開始階から望ましい目的階へと乗客を輸送するように制御される。四角形が「Ｎ」を含む場合には、アクセスが許可されておらず、エレベータは、入力開始階から望ましい目的階へと乗客を輸送しないように制御される。四角形が「ＡＡ」を含む場合には、エレベータが入力開始階から望ましい目的階へと乗客を輸送するように制御される前に、適切な許可が受け入れられなければならない。
【００１６】
図２には、階床Ｆ８で働く乗客Ｐの固有のマトリックスが示されている。マトリックスに見られるように、乗客Ｐは、働くためにロビーＦ２から階床Ｆ８へと輸送されることを許可され、許容されている。また、乗客Ｐは、エレベータにより銀行の他の階床から、この乗客Ｐが働く階床Ｆ８へと移動することを許可され、許容されている。マトリックスの四角形が、エレベータにより階床からロビーＦ２へと移動する許可を必要としないことを意味する「Ｏ」を含むので、乗客Ｐは、この乗客Ｐが働く階床Ｆ８（または他の階床）からロビーへと移動することを許容される。しかし、（「Ｎ」で示されているように）金庫室は、乗客がエレベータによりロビーから移動することができる目的階ではなく、かつ、ロビーは、乗客がエレベータにより金庫室（Ｆ１）から移動することができる目的階ではないので、乗客Ｐは、ロビーから金庫室へ、または金庫室からロビーへと移動することができない。また、乗客Ｐは、通常、この乗客Ｐが働く階床Ｆ８へと移動することが許可されていても、金庫室から階床Ｆ８へと移動することができない。これは、金庫室へまたは金庫室からの移動をある階床（例えば、セキュリティ階床）へまたはある階床からの移動とすることのみにより銀行の金庫室を確実に安全なものとすることに寄与する。乗客Ｐは、ロビーＦ２からこの乗客Ｐが働く階床以外の銀行の階床（Ｆ３〜Ｆ７，Ｆ９〜Ｆ２０）へと移動することを許容されていない。また、乗客Ｐは、エレベータによりこの乗客Ｐが働く階床（Ｆ８）またはロビーＦ２以外の階床からこの乗客Ｐが働く階床Ｆ８またはロビーＦ２以外の他の階床へと移動することも許容されていない。
【００１７】
エレベータによる階床へのアクセスが許可される（蓄積されたデータベース内のデータにアクセスすることによりなされる）かについての決定が、エレベータのコントローラによって直接に実施され得る。これは、エレベータコントローラと相互作用する他のシステム、例えば、セキュリティシステムによっても実施され得る。データベース内に蓄積されたデータは修正可能であり、これにより、システムが、開始階に基づいて他の階床へのアクセスを許可することに関する特定の建物の異なる要求に容易に適合することができる。
【００１８】
図３には、病院内の種々の病院階床へのアクセスを制御するように用いられる、本発明の病院用のエレベータセキュリティシステムで使用されるデータマトリクスが示されている。病院は、２０個の階床、つまり階床Ｆ１〜Ｆ２０を備えている。これらの階床は、無菌材料が保管される清潔な階床である階床Ｆ２と、無菌材料のみが許容される手術階床である階床Ｆ４と、汚れた器具が維持される不潔な階床である階床Ｆ６とを備えている。マトリックスの「から」側が、この階床から乗客がエレベータにより移動したいと望む階床を示している。「へ」側が、この階床へと乗客がエレベータにより移動したいと望む望ましい目的階を示している。マトリックスの「ＡＡ」が、許可、および許容されていることを示している。「Ｎ」が、許容されていないことを示している。
【００１９】
マトリックスに見られるように、人が階床Ｆ２つまり清潔な階床から階床Ｆ４つまり手術階床へ移動することを望むときには、マトリックスは、「ＡＡ」を示し得る。これは、人が適切な許可を有する場合に、階床Ｆ２から階床Ｆ４への移動が許容されていることを意味している。清潔な階床が無菌材料を有しており、かつ無菌材料のみが手術階床Ｆ４で許容されるので、階床Ｆ２から階床Ｆ４への（適切な許可を有した）移動が許容される。しかし、階床Ｆ２から階床Ｆ６つまり不潔な階床へと移動することを望む人は、マトリックス内の「Ｎ」に遭遇し得る。これは、階床Ｆ２から階床Ｆ６への移動が許容されていないことを意味している。これは、階床Ｆ２の無菌材料を階床Ｆ６へと移動させず、生じ得る汚れを発生させない。逆に言えば、乗客は、不潔な階床Ｆ６から清潔な階床Ｆ２または手術階床Ｆ４へと移動することができない。これは、不潔な階床Ｆ６の汚れにより清潔な階床Ｆ２および手術階床Ｆ４を汚すことを阻止する。また、エレベータにより手術階床Ｆ４から階床Ｆ２への移動は、許可された場合に許容される。
【００２０】
図４には、本発明のオフィス建物用のデータマトリックスが示されている。オフィス建物は、２０個の階床Ｆ１〜Ｆ２０を備えている。階床Ｆ１はガレージであり、階床Ｆ２はロビーであり、階床Ｆ３はセキュリティであり、そして、階床Ｆ２０は管理職用のオフィスである。マトリックスの「から」側が、この階床から乗客がエレベータにより移動することを望む階床を示している。「へ」側が、この階床へと乗客がエレベータにより移動することを望む望ましい目的階を示している。「ＡＡ」が、許可、および許容されていることを示している。「Ｎ」が許容されていないことを示している。「Ｏ」が開状態の階床を示している。
【００２１】
マトリックスに見られるように、管理職「Ｅ」が、エレベータによりガレージＦ１またはロビーＦ２からセキュリティ階床Ｆ３のみへ移動することができる（または、これらの移動が「Ｏ」を含むときには、ガレージＦ１とロビーＦ２との間を移動することができる）。管理職Ｅは階床Ｆ２０に入る許可を有するが、エレベータによるガレージＦ１またはロビーＦ２から階床Ｆ２０への移動が許容されていない（Ｎ）ので、管理職Ｅは、ガレージＦ１またはロビーＦ２からこの管理職Ｅのオフィスへと直接に移動することができない。管理職Ｅは、最初に、階床Ｆ３のセキュリティを通過する必要があり、その後、階床Ｆ２０の管理職のオフィスへと移動することができる。これは、最初に、（ロビーまたはガレージを通して）建物へと入る人が、他の階床へと進む前にセキュリティを通してチェックインするようにして、より安全なオフィスを可能とする。
【００２２】
図５には、多機能建物に適用可能であり、かつこの建物内における階床へのアクセスを制御するように用いられる、本発明のデータマトリックスの実施例が示されている。建物は、２０個の階床を備えている。階床Ｆ１がロビーである。階床Ｆ２〜Ｆ５がビジネス（「Ｂ１」）であり、階床Ｆ６〜Ｆ９が他のビジネス（「Ｂ２」）である。階床Ｆ１０がフィットネスセンタである。階床Ｆ１１〜Ｆ１９がホテルであり、階床Ｆ１１がホテルのロビーであり、そして、階床Ｆ１９がホテルのプールである。階床Ｆ２０がレストランである。マトリックスの「Ｏ」は、開状態のアクセスを示している。「Ｎ」は、許容されていないアクセスを示している。「ＡＡ」は、ある形式の許可が許容すべきアクセスに必要であることを示している。マトリックスの「から」側は、この階床から乗客がエレベータにより移動することを望む階床を示している。「へ」側は、この階床へと乗客がエレベータにより移動することを望む望ましい目的階を示している。
【００２３】
階床Ｆ２〜Ｆ５のＢ１は、入力が階床Ｆ１のロビー、階床Ｆ１０のフィットネスセンタ、階床Ｆ１１のホテルのロビーまたは階床Ｆ２０のレストランから開始されたときに、階床Ｆ２〜Ｆ５へのアクセスを許可する。Ｂ１は、ある種の小売業を示し得るものであり、これは、Ｂ１へと移動することを望む全てへの開状態のアクセスを許容し得る。
【００２４】
階床Ｆ６〜Ｆ９のＢ２は、より安全なビジネスである。（Ｂ２内にない階床からの）エレベータによるＢ２へのアクセスは、ロビーから階床Ｆ６へと移動するときにのみ許容される。階床Ｆ６は、Ｂ２で働く人のみがＢ２の他の階床（Ｆ７〜Ｆ９）へのアクセスを確実に許容されるように、ある種の受付またはセキュリティを含むことができる。しかし、乗客からの入力がＢ２内の階床から既に開始されていた場合には、Ｂ２内の他の階床（階床Ｆ６〜Ｆ９）への開状態のアクセスが許容される。
【００２５】
階床Ｆ１０は、公衆の会員に開かれたフィットネスセンタを有している。したがって、アクセスは、乗客の呼びが他の階床で開始されたときに階床Ｆ１０へと開かれる。階床Ｆ１１のホテルのロビーおよび階床Ｆ２０のレストランについても大体同じであり、他の階床からエレベータにより階床Ｆ１１および階床Ｆ２０へとアクセスすることができる。
【００２６】
階床Ｆ１１〜Ｆ１９のホテルは、階床Ｆ１１のホテルのロビー、階床Ｆ１２〜Ｆ１８の来客用の部屋および階床Ｆ１９のホテルのプールを備えている。ホテルの他の階床の全てへのアクセスが、ホテルにおいて階床Ｆ１１以外の階床（階床Ｆ１〜Ｆ１０，Ｆ２０）から来るときに許容されていないので、来客は、最初に、階床Ｆ１１のホテルのロビーからホテルに入る必要がある。ホテルのロビーにいるときには、エレベータによるホテルのプールへのアクセスが開状態である。来客用部屋を含む階床（階床Ｆ１２〜Ｆ１８）へのアクセスには、来客がその階床の部屋にいることを指示しつつ、ある種の許可が必要となる。
【００２７】
本実施例は、本発明のエレベータシステムが、エレベータにより多機能建物内の階床へのアクセスを制御することにより、どのように効率的かつ効果的に多機能建物にサービスを提供することができるかを示している。このシステムは、乗客からの入力が開始された階床から来るときに乗客に対しアクセスが許容される階床を決定するために、蓄積されたデータにアクセスすることによって建物内の異なる階床へのアクセスを制御する。建物および建物のテナントの要求が変化するので、データマトリックスは、容易に修正可能である。各ビジネスが、セキュリティの理由のために、その専用のエレベータセットを有する場合には、本発明のシステムは、複数のエレベータセットの設置する必要がないように機能することもできる。
【００２８】
図６には、大学建物に適用可能であり、かつこの建物内の階床へのアクセスを制御するように使用される、本発明のデータマトリックスの実施例が示されている。この建物は、１０個の階床を備えている。階床Ｆ１はロビーであり、階床Ｆ２および階床Ｆ３は講堂であり、階床Ｆ４は研究室であり、階床Ｆ５〜Ｆ７は教職員用のオフィスであり、そして、階床Ｆ８〜Ｆ１０は図書館である。マトリックスの「から」側は、この階床から乗客がエレベータにより移動することを望む階床を示している。「へ」側は、この階床へと乗客がエレベータにより移動することを望む望ましい目的階を示している。マトリックスの「Ｏ」は開状態のアクセスを示している。「Ｎ」は許容されていないアクセスを示している。「ＡＡ」は、アクセスするには、許可が必要であることを示している（要求される許可の説明や例については、上述の図２を参照）。
【００２９】
マトリックスに見られるように、エレベータによりロビーから来るときには、アクセスは、講堂（Ｆ２，Ｆ３）、研究室（Ｆ４）および図書館の第１の階床（Ｆ８）に対し開状態とされている。これらは、学生が訪れそうな目的階の全てであり、したがって、エレベータによりこれらの箇所へと容易にアクセス可能となることが必要である。他の階床（Ｆ１〜Ｆ４，Ｆ８）から教授用のオフィス（Ｆ５〜Ｆ７）へとアクセスするためには、許可が必要である。これにより、適切な許可を有した人が他の階床から階床Ｆ５〜Ｆ７へと移動することを許容されるだけでなく、階床Ｆ５〜Ｆ７に既にいる教職員（または他人）も、常に許可を示す必要なく、エレベータにより階床Ｆ５と階床Ｆ７との間を移動することが許容される。
【００３０】
図書館は本のセキュリティに関係しているので、図書館には、本を持って出る誰もが適切にその本の貸し出し手続きをするように１つの出入り口が存在することが多い。このシステムによって、階床Ｆ８の安全な図書館の出入り口が提供される。エレベータにより階床Ｆ８（図書館の入口）へと移動するためのアクセスは、どの階床から来るときにも開状態にされている。図書館の他の階床へと移動するためには、人は、最初に、階床Ｆ８に立ち寄る必要がある。階床Ｆ９または階床Ｆ１０に直接に移動するためのアクセスは、許容されていない。階床Ｆ８にいるときには、階床Ｆ９および階床Ｆ１０へのアクセスは開状態とされている。図書館を出ることを望むときには、人は、最初に、階床Ｆ８へと移動する必要があり、そして、安全な図書館の出口から出て（本の貸し出し手続きをして）、その後、エレベータによる他の階床へのアクセスが許容される。階床Ｆ９または階床Ｆ１０からエレベータに入るときには、階床Ｆ８よりも下の階床へのアクセスは許容されていない。
【００３１】
このシステムは、エレベータによる大学建物内の階床へのアクセスを制御するために、開始階に基づいた方法を提供する。多くの人を効率的に扱い、かつ他の領域の安全を維持しつつ、時々刻々と変化する全学生のある領域へのアクセスを提供する必要があるので、大学建物は、エレベータシステムに特有の要求を有する。階床へのアクセスを制御する上記開始階に基づいた方法によって、常に変化する全学生のうちの各学生への個別のアクセスを許可する必要なく、学生が訪れる領域へのエレベータによるアクセスが容易となる。また、このシステムは、個々の領域、例えば、教職員用のオフィスおよび図書館に特有のセキュリティ要求に対し簡潔な解決を提供する。
【００３２】
上記の例（銀行建物、病院、オフィス建物、多機能建物および大学建物）は、エレベータによる建物内の階床へのアクセスを制御する方法の異なる実施例と、本発明のエレベータセキュリティシステムとを示している。（蓄積されたデータと、乗客がやって来る階床とに基づいてエレベータによりある階床へのアクセスを許可する）本発明のシステムは、アスリートおよびチームの全職員が異なるレベルのアクセスを許可され、ファン以外が開始階から来るスタジアムでの状況や、公衆や種々の教会職員が乗客からの入力が開始された箇所に基づいて異なる領域にアクセスすることを許可され得る教会での状況を含む、多くの他の状況において役立つものとなり得る。（望ましい目的階へのアクセスが許可されるかを決定するためにアクセスされる）蓄積されたデータを容易に修正するための能力は、本発明が建物の使用にさらに柔軟性を与えることを意味している。低セキュリティオフィスに用いられていた建物は、より高いセキュリティテナントを収容するために付加的なエレベータを加える必要なく、より高いセキュリティテナントを収容しつつ、多目的建物へと変化し得る。
【００３３】
本発明の例示的な実施例について説明してきたが、当業者であれば、本発明の範囲を逸脱することなく、種々の変更がなされ、本発明の構成要素が同等のものによって置き換えられ得ることを理解するであろう。さらに、多くの修正が、本発明の本質的な範囲を逸脱することなく、本発明の教示に照らして、特定の状況や材料に適用するようになされ得る。したがって、本発明が、開示した特定の実施例に限定されるものではなく、添付の特許請求の範囲内に属する実施例全てを含むことが意図される。
【図１】
2013513536.tif 000003
【図２】
2013513536.tif 000004
【図３】
2013513536.tif 000005
【図４】
2013513536.tif 000006
【図５】
2013513536.tif 000007
【図６】
2013513536.tif 000008
【国際調査報告】
2013513536.tif 000009
2013513536.tif 000010